(57)【特許請求の範囲】
【請求項１】
自動車に用いられる油圧マウントにおいて、
ボビン形状の外パイプの内側にゴム加硫方式で形成されたダイヤフラムを有したダイヤフラム部と、
前記ダイヤフラム部に圧入されるボビン形状のサドルステッチ部の内側にゴム加硫方式で形成された内パイプと主液室を形成した主ゴム部と、
前記主液室と前記ダイヤフラムとの間に付着され、前記ダイヤフラムを保護し、流体を流動させるオリフィスを形成するダイヤフラムカバーと、を含んで構成され、
前記サドルステッチ部の一側には、第１貫通孔が形成され、他側面から底部までは第２貫通孔が形成され、前記第１貫通孔と第２貫通孔は、お互い離隔して分離されており、第１貫通孔には、ゴム充填空間が形成され、第２貫通孔には、オリフィスが形成され、
前記オリフィスは、サドルステッチ部、ダイヤフラムカバー及び外パイプで構成された３つの部品により形成され、
前記オリフィスは、車両の前方側のみに偏心配置され、前期オリフィスは、入口と出口は同一線上に配置されることを特徴とする３点支持方式用ブッシュ型油圧マウント。
【請求項２】
前記主液室の上部の内パイプの両側空間部に車両加減速時の緩衝の役割ができるようにゴムを充填することを特徴とする請求項１に記載の３点支持方式用ブッシュ型油圧マウント。
【発明の詳細な説明】
【技術分野】
【０００１】
本発明は、３点支持方式用ブッシュ型油圧マウントに係り、より詳しくは、内パイプが車両フレームの左右方向に配置された状態で構成された自動車のエンジン、パワートレイン、トランスミッションなどのような駆動要素の振動を吸収し緩和させる３点支持方式用ブッシュ型油圧マウントに関する。
【背景技術】
【０００２】
一般的に、自動車の懸架部品とは、エンジンとトランスミッションを含むパワープラントの変位規制および防振作用をする部品を言う。
自動車の振動現象には、エンジン始動時および停止時の車体揺動、アイドリング時の車体振動、エンジン高回転時の車体振動、凹凸による振動、高負荷作用時の車体揺動、発進時や変速時に従う急激な変化作用時の衝撃、過大変位による干渉および破損などがある。
【０００３】
このような振動の震源には、低周波数領域（３０Ｈｚ以下）である場合には、エンジンの低速回転時のトルク変動、エンジン低回転時のクランク軸回転運動による慣性力および偶力によるパワープラント振動、駆動系ジョイント角による偶力およびスラスト力によるパワープラント振動がある。
【０００４】
また、高周波数領域（３０Ｈｚ以上）である場合には、エンジン高回転時のクランク軸回転運動による慣性力、偶力によるパワープラント振動、変速機内のギアの噛み合い振動、燃焼時のシリンダーブロック振動、エンジンの動バルブ系振動、クランク軸の曲げ、ねじれ振動、パワープラントの曲げなどの原因がある。
【０００５】
このような振動は騒音を誘発し、騒音が車体を経由して車両の室内にまで伝達され、乗車感の低下を招く主な原因となっている。
したがって、エンジン、パワートレイン、トランスミッションなどのような駆動要素をエンジンルーム内に搭載する時、その重さに耐えながらもこれらを支持できることは勿論、最小限の振動が車体に伝達されるように振動を吸収し緩和できるマウント（Ｍｏｕｎｔ）が取り付けられる。
【０００６】
前記マウントは、駆動要素の振動を緩和／吸収すると同時に駆動要素の負荷重量に耐える能力がなければならないため、マウントの取り付け位置、個数、構造などは、駆動要素の重量、構造、シャーシ、ボディーの構造などを考慮して設計する。
【０００７】
上記のようなマウントは、エンジンを支持するものをエンジンマウント、パワートレインを支持するものをパワートレインマウント、トランスミッション（ｔｒａｎｓｍｉｓｓｉｏｎ）を支持するものをトランスミッションマウントといい、このようなマウントにより、トランスミッションを含む自動車のエンジンは車体の下部および側部のフレームに連結される。
【０００８】
マウントの構造はラバーマウント（ゴムマウント）や油圧マウントに分けられる。
ラバーマウントは上プレートと下プレートとの間に弾性体ゴムを介在させた構造であり、弾性体ゴムによって振動および騒音を減衰させる。
油圧マウントは液室部とダイヤフラムの空間部を備え、液室部の液室が加圧され、流体がオリフィスを通してダイヤフラムに貯蔵されるようにした構造であり、流体を介して振動および騒音を減衰させる。
【０００９】
このようなマウントの中で、特にトランスミッションに用いられるマウントは４点慣性支持方式または３点慣性支持方式で車体に取り付けられる。４点慣性支持方式で取り付けられるマウントはマウントの内パイプの取り付け方向が車両の前後方向になっている反面、図１（ａ）および（ｂ）の従来の慣性３点用マウントの概要図、図２の従来の慣性３点用マウントの斜視図に示す通り、車両フレーム１００に３点慣性支持方式で取り付けられるマウント１０１は、車両の加速時の騒音振動を改善し、前後方向のゴム量を増大させるために、内パイプ１０２の方向が車両フレーム１００の左右方向になっている。
【００１０】
したがって、このような３点用マウントの場合、４占用マウントに比べて取り付け箇所が１点不足するため、トランスミッションの動きがより大きくなって乗車感が相対的に不利な短所を改善するために、３点用トランスミッションマウントの構造を油圧マウント構造として設計する必要がある。
【００１１】
しかし、油圧マウントの内パイプの方向を車両の左右方向に設計すると、内パイプが車両の前後方向の過度な入力に耐えることができないため、マウントに備えられた硬度の低い薄い膜からなるダイヤフラムが耐久力不足で破損し、油圧マウントの機能を喪失する恐れがあった。
【先行技術文献】
【特許文献】
【００１２】
【特許文献１】特開平０６−２９４３７２号公報
【発明の概要】
【発明が解決しようとする課題】
【００１３】
本発明は、上述従来の問題点を解消するためになされたものであって、内パイプが車両フレームの左右方向に配置された状態からなる３点慣性支持方式用ブッシュ型油圧マウントの構成を提供する。
【課題を解決するための手段】
【００１４】
技術的課題を達成するための本発明に係る３点支持方式用ブッシュ型油圧マウントの構成は、
自動車に用いられる油圧マウントにおいて、
ボビン形状の外パイプの内側にゴム加硫方式で形成されたダイヤフラムを有したダイヤフラム部と、
前記ダイヤフラム部に圧入されるボビン形状のサドルステッチ部の内側にゴム加硫方式で形成された内パイプと主液室を形成した主ゴム部と、
前記主液室と前記ダイヤフラムとの間に付着され、前記ダイヤフラムを保護し、流体を流動させるオリフィスを形成するダイヤフラムカバーと、を含んで構成され、
前記サドルステッチ部の一側には、第１貫通孔が形成され、他側面から底部までは第２貫通孔が形成され、前記第１貫通孔と第２貫通孔は、お互い離隔して分離されており、第１貫通孔には、ゴム充填空間が形成され、第２貫通孔には、オリフィスが形成され、
前記オリフィスは、サドルステッチ部、ダイヤフラムカバー及び外パイプで構成された３つの部品により形成され、
前記オリフィスは、車両の前方側のみに偏心配置され、前期オリフィスは、入口と出口は同一線上に配置されることを特徴とする。
【００１５】
前記主液室の上部の内パイプの両側空間部に車両加減速時の緩衝の役割ができるようにゴムを充填することを特徴とする。
【発明の効果】
【００１７】
本発明によれば、
第１に、本発明による油圧マウントの流体貯蔵所であるダイヤフラムを主液室の下部に位置させ、主液室の下部とダイヤフラムとの間にはダイヤフラムカバーが介在されることにより、ダイヤフラムカバーによって主ゴム部の大変位制御のストッパー機能を提供することは勿論、従来の問題点として指摘された前後方向の荷重による油圧マウントのダイヤフラムの破損可能性を顕著に減少させてダイヤフラムを保護する効果がある。
第２に、本発明による油圧マウントは、主液室の上部の両側空間部にゴムを充填させることにより、車両の加減速時の加速透過騒音とショック／ジャークを低減させる効果がある。
第３に、本発明による油圧マウントのダイヤフラムカバーによって形成されるオリフィスを車両の前方側に偏心配置することにより、加速大変位発生の多い車両の後方部にはゴム量を増加できる空間を確保して振動減衰効果をより向上させる効果がある。
【図面の簡単な説明】
【００１８】
【図１】（ａ）、（ｂ）は、従来の３点支持方式のマウント取り付け時の状態を示す図である。
【図２】従来の３点支持方式に用いられるマウントの斜視図である。
【図３】本発明による３点支持方式用ブッシュ型油圧マウントの分解斜視図である。
【図４】本発明による３点支持方式用ブッシュ型油圧マウントの底面斜視図である。
【図５】本発明による３点支持方式用ブッシュ型油圧マウントの断面図である。
【図６】本発明による３点支持方式用ブッシュ型油圧マウントのサドルステッチ部の斜視図である。
【図７】本発明による３点支持方式用ブッシュ型油圧マウントの一部切開図である。
【図８】本発明による３点支持方式用ブッシュ型油圧マウントの車両上下方向のダンピング性能の比較グラフである。
【図９】本発明による３点支持方式用ブッシュ型油圧マウントの車両前後方向の静的バネ特性の比較グラフである。
【発明を実施するための形態】
【００１９】
以下、添付図面に基づいて、本発明による３点支持方式用ブッシュ型油圧マウントの構成を詳細に説明する。
図３は本発明による３点支持方式用ブッシュ型油圧マウントの分解斜視図であり、図４は本発明による３点支持方式用ブッシュ型油圧マウントの組み立て状態の底面斜視図である。
図３および図４に示す通り、本発明による油圧マウント１は、上部および下部が開口された円筒形状であるボビン形状の外パイプ１１の内側にゴム加硫方式で形成されたダイヤフラム１２を有したダイヤフラム部１０と、ボビン形状のサドルステッチ部２１の内側にゴム加硫方式で形成された内パイプ２２を有した主ゴム部２０とから構成される。
【００２０】
このような本発明による油圧マウントの構成は、従来の油圧マウントの、外パイプにゴムが加硫されず、ダイヤフラムが主ゴム部と一体に加硫され、主ゴム部と同一の硬度と材質を有するという点とは相異なる。
また、本発明による油圧マウントは、サドルステッチ部２１の下側と前記ダイヤフラム１２との間に付着され、ダイヤフラム１２を保護すると同時に流体を流動させるオリフィスを形成するダイヤフラムカバー３０を備える。
【００２１】
本発明による油圧マウントの組み立ては、前記ダイヤフラム部１０と主ゴム部２０を各々製作した後、ダイヤフラムカバー３０を前記主ゴム部２０の下部に付着させて流体を満たした後、主ゴム部２０をダイヤフラム部１０に圧入して組み立てる。この時、流体の漏れや耐久性の増加などの性能向上のために、組み立て後、スエージング（ｓｗａｇｉｎｇ）工程を実施することができる。
この時、ダイヤフラム部１０と主ゴム部２０に用いられるゴムの材質と硬度を相異なるようにすることが好ましい。
【００２２】
図５は本発明による油圧マウントの断面図である。図５に示すように、本発明による油圧マウントは従来の油圧マウントとはその構造が異なる。
すなわち、従来の油圧マウントは、主液室がブッシュの下部に存在し、ダイヤフラムの位置はブッシュ上部の左右２ケ所に存在する反面、本発明による油圧マウントは、従来の油圧マウントの下部主液室を２つのチャンバー（ｃｈａｍｂｅｒ）に分け、その上部を主液室部としての機能を果たすようにし、中間部分に耐久力向上のための主ゴム部の大変位制御のストッパー機能とダイヤフラムを保護する機能とオリフィスを構成する機能を有したダイヤフラムカバー３０を備えたものである。
【００２３】
本発明による３点支持方式の油圧マウントの主ゴム部２０は、前記内パイプ２２の下部にゴム加硫方式で形成された主液室４０を有する。したがって、本発明による油圧マウントは、従来の内パイプの左右上端にあったダイヤフラム１２を主液室４０の下部に位置させたものであり、主液室４０とダイヤフラム１２との間に所定長さのオリフィスを提供する。
また、主液室４０の上部の内パイプ２２の両側空間部（５０、５０’）に車両加減速時の緩衝役割をするようにゴムを充填して加速透過騒音を改善し、ショック／ジャークを低減させる。
【００２４】
図６は本発明による油圧マウントのサドルステッチ部２１の斜視図であり、図７は本発明による３点支持方式用ブッシュ型油圧マウントの一部切開図である。
図に示す通り、サドルステッチ部２１はボビン形状であり、一側面に形成された第１貫通孔２１ａと他側面から底部に至るまで形成された第２貫通孔２１ｂとを有し、第１貫通孔２１ａはゴム充填空間を形成して、加速区間における振動減衰および吸収の効率を向上させる。
【００２５】
また、図７に示すように、前記第２貫通孔２１ｂの下部にダイヤフラムカバー３０を付着して、主液室４０とダイヤフラム１２との間に流体の流路を形成するオリフィス６０が提供される。
この時、前記オリフィスは車両の前方側に偏心配置され、これは、車両の運行時に多く現れる運動方向が車両の後方方向に変位が大きく入力される点とそれによるショックおよび加速透過音が発生する点を考慮したものであり、主に車両の後方部分にゴムを充填させる構造を反映するためにオリフィスを車両の前方方向に偏心配置したものである。
【００２６】
図８は本発明による３点支持方式用ブッシュ型油圧マウントの車両上下方向のダンピング性能の比較グラフであり、図９は本発明による３点支持方式用ブッシュ型油圧マウントの車両前後方向の静的バネ特性の比較グラフである。
図８のグラフに示すように、本発明による油圧マウントの車両上下方向のダンピング性能を従来のラバーマウントと比較する時、マウントの減衰力を示すｔａｎδの値が共振地点（Ｐ１）において従来のラバーマウントは約０．１である反面、本発明による油圧マウントは約０．４４を示しており、本発明による油圧マウントの減衰特性が従来のラバーマウントより約４倍程度より高い値を示し、このような高い減衰特性は本発明による油圧マウントが車軸共振における振動を抑制して走行乗車感を向上させるということを示す。
【００２７】
また、図９のグラフに示すように、本発明による油圧マウントの車両前後方向の静的バネ特性を従来のラバーマウントと比較する時、本発明による油圧マウントは、負荷量（グラフの縦軸）が同一である場合に変位量（グラフの横軸）がより小さく、例えば、負荷量が１２０Ｋｇｆである場合、本発明による油圧マウントの変位量は、Ｑ１地点の６ｍｍであるが、従来のラバーマウントの変位量はＱ２地点の７ｍｍであって、本発明による油圧マウントの変位量が同一の負荷量である場合により小さいので振動抑制効果がより大きく、従来の問題点として指摘された前後方向の荷重による油圧マウントのダイヤフラムの破損可能性が顕著に減少することが分かる。
【００２８】
以上、本発明に関する好ましい実施形態を説明したが、本発明は前記実施形態に限定されず、本発明の属する技術範囲を逸脱しない範囲での全ての変更が含まれる。
【符号の説明】
【００２９】
１  ・・・本発明による油圧マウント
１０  ・・・ダイヤフラム部
１１  ・・・外パイプ
１２  ・・・ダイヤフラム
２０  ・・・主ゴム部
２１  ・・・サドルステッチ部
２１ａ  ・・・第１貫通孔
２１ｂ  ・・・第２貫通孔
２２  ・・・内パイプ
３０  ・・・ダイヤフラムカバー
４０  ・・・主液室
５０、５０’  ・・・空間部
６０  ・・・オリフィス
【図１】
0005876685.tif 000002
【図２】
0005876685.tif 000003
【図３】
0005876685.tif 000004
【図４】
0005876685.tif 000005
【図５】
0005876685.tif 000006
【図６】
0005876685.tif 000007
【図７】
0005876685.tif 000008
【図８】
0005876685.tif 000009
【図９】
0005876685.tif 000010